(57)【要約】【課題】骨セメントに対する切削性に優れるとともに、再研磨が容易であるガイドピンを提供することである。【解決手段】先端部１ａに位置しており中心軸Ｓに沿って延びている複数の溝部２と、複数の溝部２のうち互いに隣接している溝部２、２同士の間に位置している面部３と、を備え、中心軸Ｓに垂直な断面視において、複数の溝部２はいずれも、中心軸Ｓ側に凸である、ガイドピン１である。前記断面視において、複数の溝部２はいずれも、中心軸Ｓ側に凸の曲線状である。【選択図】図１
2018198985.tif 000002
【特許請求の範囲】
【請求項１】
先端部に位置しており中心軸に沿って延びている複数の溝部と、
前記複数の溝部のうち互いに隣接している溝部同士の間に位置している面部と、を備え、
前記中心軸に垂直な断面視において、前記複数の溝部はいずれも、前記中心軸側に凸である、ガイドピン。
【請求項２】
前記断面視において、前記複数の溝部はいずれも、前記中心軸側に凸の曲線状である、請求項１に記載のガイドピン。
【請求項３】
前記断面視において、前記複数の溝部はいずれも、前記中心軸側に凸の円弧状である、請求項１または２に記載のガイドピン。
【請求項４】
前記複数の溝部の個数が、３つである、請求項１〜３のいずれかに記載のガイドピン。
【請求項５】
前記断面視において、前記面部が、平坦状または外方に凸の曲線状である、請求項１〜４のいずれかに記載のガイドピン。
【請求項６】
前記断面視において、前記面部が、前記中心軸を中心とする外方に凸の円弧状である、請求項１〜４のいずれかに記載のガイドピン。
【請求項７】
前記先端部側の外周部に位置しているネジ部をさらに備える、請求項１〜６のいずれかに記載のガイドピン。
【請求項８】
ＩＢＧ手技用である、請求項１〜７のいずれかに記載のガイドピン。       
【発明の詳細な説明】
【技術分野】
【０００１】
本発明は、ガイドピンに関する。
【背景技術】
【０００２】
骨折した骨片の整復や骨への穴開けには、一般にキルシュナー鋼線（通称：Ｋワイヤー）が使用されている（例えば、非特許文献１参照）。また、骨への刺入状態を維持するうえで、ネジ付きのキルシュナー鋼線も知られている。このようなキルシュナー鋼線は、安価に市販されており、単回使用（使い捨て）されることが多い。
【０００３】
一方、人工股関節置換術後の大腿骨ステムの緩みに対する再置換手術において、大腿骨が菲薄化している場合には、ＩＢＧ手技（Impaction Bone Grafting）が使用されること
がある。ＩＢＧ手技では、菲薄化した大腿骨の髄腔に骨片を充填する際のガイドとして、ガイドピンが使用される。ガイドピンは、セメントプラグを使用するか、髄腔遠位に骨セメントが残っている場合にはその骨セメントに直接ガイドピンを刺入して髄腔中心に固定される。
【０００４】
ところで、ＩＢＧ手技用のガイドピンとして上述した市販のキルシュナー鋼線を使用すると、長さが足りない、組合わせる器具に径が適合しない、強度が低くて曲がりやすい、などの問題が生じる。そのため、ＩＢＧ手技において骨セメントに刺入するガイドピンは、ＩＢＧ手技用に個別に設計され、単品製作によるコスト高から繰り返し使用される。
【０００５】
ここで、ＩＢＧ手技用のガイドピンを設計するとき、市販のキルシュナー鋼線の構成をそのまま採用すると、次のような問題がある。ネジ付きキルシュナー鋼線を含め、キルシュナー鋼線の一般的な先端部の形状は、ほぼ共通の構成になっている。具体的には、先端部が三角錐状になっており、ネジ付きキルシュナー鋼線の場合には、先端部付近の外周部にネジ切りが施されている。このようなキルシュナー鋼線の構成をそのまま採用してＩＢＧ手技用のガイドピンを設計すると、三角錐の先端部で骨セメントに切り込み、三角錐のエッジで骨セメントを切削するとき、骨セメントを削りにくいという問題がある。また、繰り返しの使用により先端部が鈍って再研磨するときには、三角錐を構成する３つの平面をそれぞれ削り直す必要があるため、再研磨の負荷が大きいという問題もある。
【先行技術文献】
【非特許文献】
【０００６】
【非特許文献１】“ＹＤＭキルシュナー鋼線”、［online］、株式会社ＹＤＭ、［平成２８年１月１４日検索］、インターネット＜URL:http://www.ydm.co.jp/pdf/86443.pdf＞
【発明の概要】
【発明が解決しようとする課題】
【０００７】
本発明の課題は、骨セメントに対する切削性に優れるとともに、再研磨が容易であるガイドピンを提供することである。
【課題を解決するための手段】
【０００８】
本発明者は、上記課題を解決すべく鋭意研究を重ねた結果、以下の構成からなる解決手段を見出し、本発明を完成するに至った。
【０００９】
（１）先端部に位置しており中心軸に沿って延びている複数の溝部と、前記複数の溝部
のうち互いに隣接している溝部同士の間に位置している面部と、を備え、前記中心軸に垂直な断面視において、前記複数の溝部はいずれも、前記中心軸側に凸である、ガイドピン。
【００１０】
（２）前記断面視において、前記複数の溝部はいずれも、前記中心軸側に凸の曲線状である、前記（１）に記載のガイドピン。
【００１１】
（３）前記断面視において、前記複数の溝部はいずれも、前記中心軸側に凸の円弧状である、前記（１）または（２）に記載のガイドピン。
【００１２】
（４）前記複数の溝部の個数が、３つである、前記（１）〜（３）のいずれかに記載のガイドピン。
【００１３】
（５）前記断面視において、前記面部が、平坦状または外方に凸の曲線状である、前記（１）〜（４）のいずれかに記載のガイドピン。
【００１４】
（６）前記断面視において、前記面部が、前記中心軸を中心とする外方に凸の円弧状である、前記（１）〜（４）のいずれかに記載のガイドピン。
【００１５】
（７）前記先端部側の外周部に位置しているネジ部をさらに備える、前記（１）〜（６）のいずれかに記載のガイドピン。
【００１６】
（８）ＩＢＧ手技用である、前記（１）〜（７）のいずれかに記載のガイドピン。
【発明の効果】
【００１７】
本発明によれば、骨セメントに対する切削性に優れるとともに、再研磨が容易であるという効果がある。
【図面の簡単な説明】
【００１８】
【図１】本発明の一実施形態に係るガイドピンを示す斜視図である。
【図２】図１に示すガイドピンの先端部を示す拡大断面図である。
【発明を実施するための形態】
【００１９】
以下、本発明の一実施形態に係るガイドピンについて、図１および図２を参照して詳細に説明する。
【００２０】
図１に示す本実施形態のガイドピン１は、ＩＢＧ手技用であり、その中心軸Ｓに沿って延びている略円柱状の部材である。中心軸Ｓとは、ガイドピン１の先端部１ａおよび後端部１ｂの間を貫く軸であり、ガイドピン１を回転させたときに回転軸となる軸を意味するものとする。
【００２１】
本実施形態のガイドピン１は、先端部１ａに位置しており中心軸Ｓに沿って延びている複数の溝部２と、複数の溝部２のうち互いに隣接している溝部２、２同士の間に位置している面部３と、を備えている。そして、図２に示す中心軸Ｓに垂直な断面視（以下、「断面視」と言うことがある。）において、複数の溝部２がいずれも、中心軸Ｓ側に凸である。これらの構成によれば、マイナスのすくい角θを小さくする、言い換えればマイナスのすくい角θをプラスに近づけることができ、その結果、骨セメントに対する切削性を向上させることができる。すくい角θは、断面視において、溝部２またはその延長線と、溝部２および面部３の交差部４を通り被削材１００（骨セメント）に対して垂直な垂線Ｌとのなす角の角度を意味するものとする。すくい角θは、例えば、３０〜０°にすることができる。本実施形態のすくい角θは、１０°であるが、これに限定されるものではない。
【００２２】
また、上述した構成によれば、繰り返しの使用により先端部１ａが鈍って再研磨するとき、面積の小さい面部３をガイドピン１の周方向Ａに沿って研磨すればよいことから、三角錐を構成する３つの平面をそれぞれ削り直す必要がある上述したキルシュナー鋼線の構成よりも再研磨の負荷を小さくすることができ、再研磨を容易に行うことができる。
【００２３】
一方、本実施形態では、複数の溝部２が次のような構成を有する。すなわち、図１に示すように、複数の溝部２がいずれも、中心軸Ｓに沿って直線状に延びている。また、複数の溝部２はいずれも、互いに離れて位置している。言い換えれば、複数の溝部２はいずれも、合流していない。
【００２４】
複数の溝部２はいずれも、ガイドピン１の先端部１ａで骨セメントに切り込み、エッジである溝部２および面部３の交差部４で骨セメントを切削するとき、すくい面として機能する。本実施形態では、図２に示す断面視において、複数の溝部２がいずれも、中心軸Ｓ側に凸の曲線状である。このような構成によれば、溝部２のすくい面としての機能を向上させることができる。
【００２５】
上述した曲線状としては、例えば、放物線状、楕円弧状、円弧状などが挙げられる。本実施形態では、断面視において、複数の溝部２がいずれも、中心軸Ｓ側に凸の円弧状である。このような構成によれば、溝部２のすくい面としての機能を向上させるという効果に加えて、ガイドピン１を作製するときの加工性に優れるという効果も得られる。
【００２６】
本実施形態では、溝部２の個数が３つである。なお、溝部２の個数と面部３の個数は、互いに同一である。したがって、本実施形態では、面部３の個数も、溝部２の個数と同様に３つである。そして、３つの溝部２および３つの面部３のそれぞれが、中心軸Ｓを中心として１２０°回転対称となるように位置している。なお、溝部２および面部３のそれぞれの個数は、３つに限定されるものではなく、例えば、４つなどにすることもできる。
【００２７】
断面視において、面部３は、平坦状または外方に凸の曲線状であるのがよい。曲線状としては、上述した溝部２で例示したのと同じ形状が挙げられる。本実施形態では、断面視において、面部３が、中心軸Ｓを中心とする外方に凸の円弧状である。なお、上述のとおり、本実施形態の複数の溝部２はいずれも、断面視において中心軸Ｓ側に凸の円弧状である。したがって、ガイドピン１は、従来のキルシュナー鋼線の先端部における三角錐のエッジを包含する円錐の一部を、断面円弧状の凹曲面で切り欠いた構成であると言える。
【００２８】
ガイドピン１は、例えば、直径を２〜５ｍｍ、全長を２００〜５００ｍｍ、先端部１ａの長さを２〜９ｍｍにすることができるが、これらに限定されるものではない。また、ガイドピン１の構成材料としては、例えば、ステンレス鋼（ＳＵＳ）などが挙げられる。ＳＵＳとしては、例えば、ＳＵＳ３１６、ＳＵＳ６３０、ＳＵＳ４２０Ｊ２などが挙げられる。ＳＵＳ６３０、ＳＵＳ４２０Ｊ２を採用する場合には、熱処理を施してもよい。
【００２９】
以上、本発明に係る好ましい実施形態について例示したが、本発明は上述した実施形態に限定されるものではなく、本発明の要旨を逸脱しない限り任意のものとすることができることは言うまでもない。
【００３０】
例えば、上述の実施形態では、断面視において、溝部２が、中心軸Ｓ側に凸の円弧状であるが、溝部２は、中心軸Ｓ側に凸である限り、円弧状以外の他の形状にすることができる。他の形状としては、例えば、直線と円弧の組合せ形状などが挙げられる。
【００３１】
ガイドピン１は、先端部１ａ側の外周部５（図１参照）にネジ切りを施してもよい。言い換えれば、ガイドピン１は、先端部１ａ側の外周部５に位置しているネジ部をさらに備えていてもよい。
【００３２】
上述の実施形態では、ガイドピン１がＩＢＧ手技用である場合を例にとって説明したが、ガイドピン１はＩＢＧ手技用に限定されるものではなく、他の用途のガイドピンとしても使用することができる。
【符号の説明】
【００３３】
１  ガイドピン
１ａ  先端部
１ｂ  後端部
２  溝部
３  面部
４  交差部
５  外周部
Ｓ  中心軸
１００  被削材
【図１】
2018198985.tif 000003
【図２】
2018198985.tif 000004